(57)【要約】【課題】光線を透明壁で反射させることで透明壁よりも奥側に虚像を結ばせるようにした画像表示装置において、透明壁にガラス板を用いた場合でもその反射率を大きくできるようにする。【解決手段】画像表示装置である。夜の室内外を仕切るとともに室内から室外への光の一部を室内側へ反射させることが可能な透明壁１３と、室内において透明壁１３に向かい合って設けられたスクリーン壁１６と、スクリーン壁１６に向けて画像を投影するプロジェクタ１７とを有する。プロジェクタ１７からスクリーン壁１６に向けて投影され結像された画像１９からの光が透明壁１３に達した後に透明壁１３で反射されることによって、この画像１９にて表された物体２２が屋外の空間に存在するように見せることができる。透明壁１３は、ガラス板と、このガラス板の室内側の表面に貼り付けられた反射率変更用フィルムとを有する。【選択図】図１
2017203886.tif 000002
【特許請求の範囲】
【請求項１】
夜の室内外を仕切るとともに室内から室外への光の一部を室内側へ反射させることが可能な透明壁と、
室内において前記透明壁に向かい合って設けられたスクリーン壁と、
スクリーン壁に向けて画像を投影するプロジェクタとを有し、
プロジェクタからスクリーン壁に向けて投影され結像された画像からの光が透明壁に達した後に透明壁で反射されることによって、前記画像にて表された物体が屋外の空間に存在するように見せることができる画像表示装置であって、
前記透明壁は、ガラス板と、このガラス板の室内側の表面に貼り付けられた反射率変更用フィルムとを有することを特徴とする画像表示装置。
【請求項２】
プロジェクタからスクリーン壁に向けて投影される画像の明るさを低減させることによってスクリーン壁に投影された画像の背景の枠縁とスクリーン壁との境界を目立ちにくくするためのフィルタをさらに有することを特徴とする請求項１記載の画像表示装置。
【請求項３】
透明壁から室内側へ突出した反射面と、
透明壁に向かって画像を投影することによって、この投影画像を透明壁によって反射させた後に更に反射面によって反射させ、その後に透明壁以外の面に投影させる投影装置と、
をさらに有することを特徴とする請求項１または２記載の画像表示装置。
【請求項４】
反射面は、透明壁に取り付けられた補強リブの表面に形成されていることを特徴とする請求項３記載の画像表示装置。
【請求項５】
複数のプロジェクタにて一つの画像を投影するように構成され、前記複数のプロジェクタの内のいくつかのプロジェクタは、本来の画像に代えて、他の画像を投影できるように画像の切り換えが可能とされていることを特徴とする請求項１から４までのいずれか１項記載の画像表示装置。
【発明の詳細な説明】
【技術分野】
【０００１】
本発明は画像表示装置に関し、特に、スクリーンに投影した画像を他の面で反射させることにより観客に見せるようにした画像表示装置に関する。
【背景技術】
【０００２】
このような画像表示装置として、特許文献１に記載されたものがある。これは、プロジェクタからスクリーンに投影された映像が、ハーフミラーの反射作用により、ハーフミラーを透過した位置に虚像として見えるというものである。ハーフミラーとしては、ガラス表面にクロムを真空蒸着したものや透明ガラスが用いられている。
【先行技術文献】
【特許文献】
【０００３】
【特許文献１】実開平４−５００９６号公報
【発明の概要】
【発明が解決しようとする課題】
【０００４】
しかし、特許文献１の画像表示装置において、ハーフミラーとしてガラス表面にクロムを真空蒸着したものでは、そのハーフミラーの製造工程が複雑であり、かつそのための相応の製造コストを要する。また建物の壁面程度の大きなサイズに適用したい場合は、そのための大形の真空蒸着装置が必要になるなど、実現可能性を疑問視せざるを得ない。一方ハーフミラーとして透明ガラスを用いた場合は、安価であるとともに、大形化は不可能ではないが、その反射率が低いため、光線がハーフミラーで反射することで得られる画像が暗いものでしかない。
【０００５】
そこで本発明は、光線を透明壁で反射させることで透明壁よりも奥側に虚像を結ばせるようにした画像表示装置において、透明壁にガラス板を用いた場合でもその反射率を大きくできるようにすることを目的とする。
【課題を解決するための手段】
【０００６】
この目的を達成するため、本発明の画像表示装置は、
夜の室内外を仕切るとともに室内から室外への光の一部を室内側へ反射させることが可能な透明壁と、
室内において前記透明壁に向かい合って設けられたスクリーン壁と、
スクリーン壁に向けて画像を投影するプロジェクタとを有し、
プロジェクタからスクリーン壁に向けて投影され結像された画像からの光が透明壁に達した後に透明壁で反射されることによって、前記画像にて表された物体が屋外の空間に存在するように見せることができる画像表示装置であって、
前記透明壁は、ガラス板と、このガラス板の室内側の表面に貼り付けられた反射率変更用フィルムとを有することを特徴とする。
【０００７】
このような構成であると、透明壁は、ガラス板と、このガラス板の室内側の表面に貼り付けられた反射率変更用フィルムとを有するものであるため、ガラス板の反射率が低くても、フィルムによってその反射率を変更、特に増大させることができて、見やすい画像を映し出すことができる。また、透明壁は、真空蒸着膜などを有さず、ガラス板にフィルムが貼り付けられているだけであるため、室内外を仕切る大きな壁体を容易かつ安価に構成することができる。
【０００８】
本発明の画像表示装置によると、プロジェクタからスクリーン壁に向けて投影される画像の明るさを低減させることによってスクリーン壁に投影された画像の背景の枠縁とスクリーン壁との境界を目立ちにくくするためのフィルタをさらに有することが好適である。
【０００９】
このような構成であると、スクリーン壁に投影された画像の背景の枠縁とスクリーン壁との境界を目立ちにくくすることができて、見やすい画像を得ることができる。
【００１０】
本発明の画像表示装置によると、透明壁から室内側へ突出した反射面と、透明壁に向かって画像を投影することによって、この投影画像を透明壁によって反射させた後に更に反射面によって反射させ、その後に透明壁以外の面に投影させる投影装置と、をさらに有することが好適である。反射面は、透明壁に取り付けられた補強リブの表面に形成することができる。
【００１１】
このような構成であると、透明壁以外の部分にも画像を映し出すことができる。反射面を、透明壁に取り付けられた補強リブの表面に形成すれば、透明壁の設置のために必要不可欠な補強リブを、画像投影のための手段としても用いることができる。
【００１２】
本発明の画像表示装置によると、複数のプロジェクタにて一つの画像を投影するように構成され、前記複数のプロジェクタの内のいくつかのプロジェクタは、本来の画像に代えて、他の画像を投影できるように画像の切り換えが可能とすることができる。
【００１３】
このような構成であると、変化に富んだ画像を得ることができる。
【発明の効果】
【００１４】
本発明によると、透明壁は、ガラス板と、このガラス板の室内側の表面に貼り付けられた反射率変更用フィルムとを有するものであるため、ガラス板の反射率が低くても、フィルムによってその反射率を変更、特に増大させることができて、見やすい画像を映し出すことができる。また、透明壁は、真空蒸着膜などを有さず、ガラス板にフィルムが貼り付けられているだけであるため、室内外を仕切る大きな壁体を容易かつ安価に構成することができる。
【図面の簡単な説明】
【００１５】
【図１】本発明の実施の形態の画像表示装置の全体構成を示す図である。
【図２】図１における透明壁の要部の断面図である。
【図３】図１におけるガラス壁に投影された画像の様子を示す図である。
【図４】図１におけるプロジェクタの拡大図である。
【図５】本発明の実施の形態の画像表示装置の変形例を示す図である。
【図６】図５の画像表示装置の動作を示す図である。
【図７】本発明の実施の形態の画像表示装置の動作例を示す図である。
【図８】図７の動作を行わせるための装置構成を示す図である。
【図９】本発明の実施の形態の画像表示装置の制御機能を示す図である。
【発明を実施するための形態】
【００１６】
図１は、夜間における建物の内部１１と外部１２とを示す。建物の内部１１と外部１２との境界には、透明壁１３が、たとえば図示のように壁面全体にわたって設置されている。透明壁１３は、図２に示すように、ガラス板１４と、このガラス板１４の室内側の表面に貼り付けられた反射率変更用フィルム１５とを有する。
【００１７】
建物の内部１１において、透明壁１３から距離をおいた位置には、透明壁１３と同等の大きさのスクリーン壁１６が、透明壁１３と平行な方向に設置されている。スクリーン壁１６は、たとえば通常の壁面に白色の壁紙を貼り付けることによって構成することができる。
【００１８】
建物の内部１１には、プロジェクタ１７が、天井１８から吊り下げ支持されている。プロジェクタ１７は、スクリーン壁１６に向けて画像１９を投影する。スクリーン壁１６に投影された画像１９は、スクリーン壁１６で反射したうえで透明壁１３に到達し、透明壁１３で反射することによって、建物の内部１１に居て透明壁１３の方に向いた観客２０によって視認される。透明壁１３は、夜間における建物の外部１２からの光を透過させて建物の内部１１に導くので、観客２０は、透明壁１３からの反射画像２１によって写し出された物体２２が、建物の外部１２における空間に存在しているかのような感覚を体験することができる。
【００１９】
２５はレーザプロジェクタで、図示の例では建物の内部１１に設置され、建物の外部１２における例えば山裾の斜面２６に画像２７を投影可能である。２８は噴水ノズルで、レーザプロジェクタ２５からの光路２９に向けて水を噴射することにより、レーザ光を乱反射させて特殊な効果を得ることが可能なものである。
【００２０】
図２に示される透明壁１３のガラス板１４は、図１に示されるように、建物における窓や、一般的な窓よりも大きな開口部に、普通に用いられているものである。その光学特性は、可視光の透過率が８０〜９０％程度、可視光の反射率は８％程度である。
【００２１】
このようなガラス板１４のみを図１に示される画像表示装置に適用すると、上述のように可視光の反射率が８％程度しかないために、夜間であって建物の外部が暗闇の状態であっても、観客２０にとって透明壁１３からの反射画像２１が暗くて見にくいという事態が発生する可能性がある。
【００２２】
そこで、本発明では、透明壁１３のガラス板１４における室内側の表面に貼り付けた反射率変更用フィルム１５によって、透明壁１３の反射率を向上させている。使用するフィルム１５の種類は、必要とする反射率を有するもの、すなわち図１に示された反射画像２１を観客２０が良好に視認できるように、その反射画像２１の明るさを単にガラス板１４で反射させた場合に比べて増大できるような反射率を有するものを任意に使用することができる。市販のフィルムでは、たとえば可視光の反射率が１５％程度であるものとして、住友理工社の「リフレシャイン（登録商標）」を好適に用いることができる。この「リフレシャイン（登録商標）」は、近赤外線および遠赤外線を反射させる機能を有し、このため本来は、夏場の太陽光についての流入遮熱効果と、冬場の暖房熱の流出低減効果を発揮させるためのものである。したがって、この「リフレシャイン（登録商標）」を用いると、本発明の本来の目的である可視光の反射率の増大すなわち変更効果に加えて、上述の夏場の太陽光についての流入遮熱効果と、冬場の暖房熱の流出低減効果とをも併せて得ることができる。
【００２３】
反射率変更用フィルム１５は、上述のように透明壁１３の反射率を向上させるほかに、たとえばプロジェクタ１７から投影される画像が明るすぎるような場合などにおいては、反射率を低減させることを目的とする適宜のものを使用することもできる。
【００２４】
このように反射率変更用フィルム１５を用いることによって、図１に示される観客２０は、ガラス板のみからの反射画像を視認する場合に比べて、適度の明るさの反射画像２１を快適に視認することができる。
【００２５】
図１に示すように本発明の画像表示装置は夜間に使用するものであるが、そのために、反射画像２１において、物体２２を浮かび上がらせた画像とするために、物体２２以外の背景は黒色であることが望ましい。しかし、プロジェクタ１７からスクリーン壁１６に向けて投影される画像１９の背景３１は、黒色であってもある程度の明るさを持っている。このため、図３（ｂ）に示すように、スクリーン壁１６における画像１９以外の箇所３２に比べて、たとえば画像１９における背景３１の方が明るいなど、画像１９以外の箇所３２と、画像１９における背景３１との明るさが相違すると、画像１９以外の箇所３２と画像１９における背景３１との境界３３が明瞭になる。透明壁１３からは、画像１９のみならず、スクリーン壁１６における画像１９以外の箇所３２についての反射光も生じるため、観客２０が境界３３に気付いて違和感を覚える可能性がある。
【００２６】
そこで、本発明においては、スクリーン壁１６における画像１９以外の箇所３２の明るさと、画像１９における背景３１の部分の明るさとを揃える手段を用いることが好適である。このために本発明においては、図４に示すように、プロジェクタ１７の投影レンズ３０の前にＮＤフィルタ３４を設置している。実際上は、スクリーン壁１６における画像１９以外の箇所３２よりも画像１９における背景３１の方が明るくなるので、ＮＤフィルタ３４によって、プロジェクタ１７から投影される光量を低減させれば足りる。これによって、図３（ａ）に示すように、スクリーン壁１６における画像１９以外の箇所３２の明るさと、画像１９における背景３１の部分の明るさとを揃えることができて、境界３３を目立ちにくくすることができる。なお、ＮＤフィルタ３４によって、背景３１のみならず物体の画像の明るさも少し低下する。しかし、境界３３を目立ちにくくする方が、画像の品質向上に大きく寄与する。
【００２７】
壁面をガラス板で構成した建物においては、このガラス板を補強するために、このガラス板と直角な方向の矩形板状の上下方向のリブを、ガラス板と一体化して設置することが多い。図５および図６に示す例では、図示のように、この種のリブ３５が設けられている。リブ３５は、たとえば透明壁１３のガラス板１４と同じ材料によって構成することができる。
【００２８】
図５および図６に示す例では、プロジェクタ１７とは別の投影装置３６が設けられている。この投影装置３６は、透明壁１３におけるリブ３５の近傍の位置に画像３７を投影することができるものである。投影装置３６から投影された光の大部分は、透明壁１３を透過して建物の外部１２へ導かれて、外部１２における適当な箇所に画像を形成することもできる。これに対し、投影装置３６から投影された光の一部分は、透明壁１３のフィルム１５にて反射し、さらにリブ３５の表面で反射したうえで、透明壁１３以外の面、たとえば図示のような、建物の内部１１の壁面３８に投影され、それによって壁面３８に画像３９が写し出される。
【００２９】
これによって、建物の内部１１における、透明壁１３以外の部分にも画像を映し出すことができる。しかも、透明壁１３の設置のために必要不可欠な補強用のリブ３５を、画像投影のための手段としても用いることができる。リブ３５の表面にも透明壁１３と同様のフィルム１５を貼り付けて、その反射率を向上させれば、明るい画像３９を得ることができる。
【００３０】
上記においては、透明壁１３のフィルム１５にて反射した光が更にリブ３５の表面で反射するものについて説明した。しかし本発明によれば、これに限られず、透明壁１３のフィルム１５にて反射した光を他の任意の反射面で反射させたうえで、壁面３８へ投影する構成を採用することもできる。
【００３１】
図７に示すように、透明壁１３を横長に構成すれば、横方向に大きなサイズの物体の画像を写し出すことができる。その場合には、同図（ｂ）に示すように横方向に複数のプロジェクタ１７、１７、・・・・を用いて、１つの画面４０を複数の部分４１、４１、・・・・に分けて投影することができる。このときに、たとえば同図（ａ）に示すように、一部のプロジェクタ１７のみを用いて、一部の部分４１のみに特別な情報を表示することができる。図示の例では、観客２０の名前を投影するという、観客２０に対するサービスを行っている。
【００３２】
図８は、そのための装置の構成を示す。コンピュータグラフィック画像を再生するための専用のコンピュータ４５が設けられており、コンピュータ４５からの画像信号は分配器４６によって各プロジェクタ１７、１７、・・・・へ送られる。図示の例では、特定のプロジェクタにおいて、分配器４６とプロジェクタ１７との間に、画像切替器４７が設けられている。画像切替器４７は、分配器４６からの画像信号を入力可能であるとともに、観客名表示用のコンピュータ４８からの信号を入力可能であり、かついずれかの信号のみを切り替えてプロジェクタ１７へ出力するように構成されている。
【００３３】
このような構成であると、画像切替器４７によって分配器４６からの信号をプロジェクタ１７へ出力するように切り替えた状態では、図７（ｂ）に示すように、すべてのプロジェクタ１７、１７、・・・・にコンピュータ４５からの画像信号が送られて透明壁１３への投影が行われる。これによって、透明壁１３の全体に一つの画像４９が投影される。
【００３４】
画像切替器４７によってコンピュータ４８からの信号をプロジェクタ１７へ出力するように切り替えた状態では、図７（ａ）に示すように、透明壁１３の一部分に、観客２０の名前を表示した画像５０を投影することができる。
【００３５】
他のプロジェクタ１７、１７、・・・・からの画像は、図７（ａ）に示すような無地の背景の画像であってもよいし、何か特別な画像であってもよい。あるいは、図７（ｂ）に示されるような大きな一つの画像の一部を切り欠いて、その切り欠いた部分に、観客２０の名前を表示した画像５０を投影することもできる。
【００３６】
画像切替器４７による切替は、手動によって行うこともできるし、あるいは、ソフトウェアによる切替を行うこともできる。
【００３７】
図９は、本発明の実施の形態の画像表示装置の全体構成の概略を示す。図示のように、建物の内部１１には、これまで説明した機材のほかに、音響装置５１と、照明装置５２とが設けられている。建物の外部１２には、噴水作動装置５３と、屋外照明装置５４と、火炎噴霧作動装置５５とが設置されている。
【００３８】
噴水作動装置５３は、噴水ノズル２８を動作させるためのものである。
【００３９】
屋外照明装置５４は、サーチライト５６や、樹木のためのライトアップ照明５７や、ＬＥＤによる電飾装置５８などを、無線制御によって作動させるためのものである。
【００４０】
火炎噴霧作動装置５５は、トーチ５９や、火炎噴出器６０や、霧を噴出させる噴霧器６１などを、無線制御によって作動させるためのものである。
【００４１】
図９に示された各装置は、制御装置６２によって一括制御されるように構成されている。これによって、各種の演出を効果的に実施することができる。
【符号の説明】
【００４２】
１１    建物の内部
１３    透明壁
１４    ガラス板
１５    フィルム
１６    スクリーン壁
１７    プロジェクタ
１９    画像
２０    観客
２２    物体
３４    ＮＤフィルタ
３５    リブ
３８    壁面
４６    分配器
４７    画像切替器
【図１】
2017203886.tif 000003
【図２】
2017203886.tif 000004
【図３】
2017203886.tif 000005
【図４】
2017203886.tif 000006
【図５】
2017203886.tif 000007
【図６】
2017203886.tif 000008
【図７】
2017203886.tif 000009
【図８】
2017203886.tif 000010
【図９】
2017203886.tif 000011
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
夜の室内外を仕切るとともに室内から室外への光の一部を室内側へ反射させることが可能な透明壁と、
室内において前記透明壁に向かい合って設けられたスクリーン壁と、
スクリーン壁に向けて画像を投影するプロジェクタとを有し、
プロジェクタからスクリーン壁に向けて投影され結像された画像からの光が透明壁に達した後に透明壁で反射されることによって、前記画像にて表された物体が屋外の空間に存在するように見せることができる画像表示装置であって、
前記透明壁は、ガラス板と、このガラス板の室内側の表面に貼り付けられた反射率変更用フィルムとを有することを特徴とする画像表示装置。
【請求項２】
プロジェクタからスクリーン壁に向けて投影される画像の明るさを低減させることによってスクリーン壁に投影された画像の背景の枠縁とスクリーン壁との境界を目立ちにくくするためのフィルタを、プロジェクタの投影レンズの前に有することを特徴とする請求項１記載の画像表示装置。
【請求項３】
透明壁から室内側へ突出した反射面と、
透明壁に向かって画像を投影することによって、この投影画像を透明壁によって反射させた後に更に反射面によって反射させ、その後に透明壁以外の面に投影させる投影装置と、
をさらに有することを特徴とする請求項１または２記載の画像表示装置。
【請求項４】
反射面は、透明壁に取り付けられた補強リブの表面に形成されていることを特徴とする請求項３記載の画像表示装置。
【請求項５】
複数のプロジェクタにて一つの画像を投影するように構成され、前記複数のプロジェクタの内のいくつかのプロジェクタは、本来の画像に代えて、他の画像を投影できるように画像の切り換えが可能とされていることを特徴とする請求項１から４までのいずれか１項記載の画像表示装置。
【手続補正２】
【補正対象書類名】明細書
【補正対象項目名】０００８
【補正方法】変更
【補正の内容】
【０００８】
本発明の画像表示装置によると、プロジェクタからスクリーン壁に向けて投影される画像の明るさを低減させることによってスクリーン壁に投影された画像の背景の枠縁とスクリーン壁との境界を目立ちにくくするためのフィルタを、プロジェクタの投影レンズの前に有することが好適である。